(57)【要約】【課題】手持ち式電動工具の冷却性能を高めるために遠心ファンの大型化（大径化）を行う際に、装置の大型化を行う必要がなく、装置の操作性を損なうことのない新たな構成を有する手持ち式電動工具を提供する。【解決手段】この手持ち式電動工具１０では、モータケース１２とギアケース１３との接続箇所の近傍内部には、モータ３１が有するモータ軸３２に固定された遠心ファン１９が配置され、遠心ファン１９の後面側には、当該遠心ファン１９の後面に沿った対向面３５ａを備えるとともにモータケース１２の前端部近傍に対して固定設置されるファンケーシング３５が配置され、遠心ファン１９の回転によって半径方向外方に向かう気流を前方に向かうように偏向させる気流案内面を、ファンケーシング３５の対向面３５ａと、モータケース１２の前端面１２ａと、ギアケース１３の内周面１３ａとで構成している。【選択図】図６
2018122420.tif 000002
【特許請求の範囲】
【請求項１】
駆動源となるモータを内部に収納するモータケースと、
前記モータケースの前端部に接続するとともに、前記モータからの回転駆動力を減速する複数の歯車からなる駆動力伝達手段を収納するギアケースと、
前記駆動力伝達手段を介して伝達される前記モータからの回転駆動力を受けて回転駆動する回転工具と、
を備え、前記モータケースにおける前記モータの収納部分の外周箇所が、操作者から把持を受ける把持部として構成される手持ち式電動工具であって、
前記モータケースと前記ギアケースとの接続箇所の近傍内部には、前記モータが有するモータ軸に固定された遠心ファンが配置され、
前記遠心ファンの後面側には、当該遠心ファンの後面に沿った対向面を備えるとともに前記モータケースの前端部近傍に対して固定設置されるファンケーシングが配置され、
前記遠心ファンの回転によって半径方向外方に向かう気流を前方に向かうように偏向させる気流案内面を、前記ファンケーシングの前記対向面と、前記モータケースの前端面と、前記ギアケースの内周面とで構成することを特徴とする手持ち式電動工具。
【請求項２】
請求項１に記載の手持ち式電動工具において、
前記モータケースの前端面は、前記ファンケーシングの前記対向面の外周側の延長面上に配置されていることを特徴とする手持ち式電動工具。
【請求項３】
請求項１又は２に記載の手持ち式電動工具において、
前記ギアケースの内周面が、前記遠心ファンの外周を囲むように配置されていることを特徴とする手持ち式電動工具。
【請求項４】
請求項１〜３のいずれか１項に記載の手持ち式電動工具において、
前記ファンケーシングが有する前記対向面の外周縁が、前記モータケースの前端部の内周面に嵌合して配置されていることを特徴とする手持ち式電動工具。
【発明の詳細な説明】
【技術分野】
【０００１】
本発明は、手持ち式電動工具に係り、特に、モータケースにおけるモータ収納部分の外周箇所が、操作者から把持を受ける把持部として構成される手持ち式電動工具に関するものである。
【背景技術】
【０００２】
従来から、ハンドグラインダやハンドドリル等のモータを駆動源として用いた手持ち式電動工具が知られている。この種の手持ち式電動工具では、モータを収納するモータケースの外周箇所が、操作者から把持を受ける把持部として構成されるため、発熱源となるモータを効率的に冷却することが求められていた。そこで、発熱源となるモータを空冷するために、当該モータが有するモータ軸に遠心ファンを固定設置し、この遠心ファンが生み出す気流によってモータを冷却することが行われていた。また、気流を効果的に流通させるために、遠心ファンの近傍には、遠心ファンの形状に沿った形状を有するファンケーシングが配置され、このファンケーシングの形状の作用によって、効率的な気流を実現することが行われていた。
【０００３】
そして、従来の手持ち式電動工具では、例えば、下記特許文献１、２等に開示されるように、ファンケーシングは、中央位置に開口を有する略椀形状として形成されており、遠心ファンの後面から外周を囲むように配置されるものであった。また、ファンケーシングの遠心ファンを囲む面は、気流を案内する気流案内面であり、当該気流案内面によって、遠心ファンにより発生する半径方向外方への気流は前方に向かうように偏向されることとなる。さらに、気流案内面は、遠心ファンの羽根の後面（後方側の縁）に沿った面と、該面から前方に延びる面とから構成されていた。
【先行技術文献】
【特許文献】
【０００４】
【特許文献１】特許第４４１６１９２号明細書
【特許文献２】特開２００２−１８７４５号公報
【発明の概要】
【発明が解決しようとする課題】
【０００５】
ところで、手持ち式電動工具に設置される遠心ファンについては、発熱源であるモータ等を冷却するための冷却風の流れを発生させるためのものであることから、冷却性能をより高めることが求められている。しかしながら、上掲した特許文献１、２に代表される従来の手持ち式電動工具において、冷却性能を高めるために、単に遠心ファンを大型化（大径化）しようとすると、装置の大型化を招いてしまい、手持ち式電動工具の操作性が低下してしまうという課題が存在していた。
【０００６】
本発明は、上述した従来技術に存在する課題に鑑みて成されたものであり、その目的は、手持ち式電動工具の冷却性能を高めるために遠心ファンの大型化（大径化）を行う際に、装置の大型化を行う必要がなく、手持ち式電動工具の操作性を損なうことのない新たな構成を有する手持ち式電動工具を提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係る手持ち式電動工具（１０，１００）は、駆動源となるモータ（３１）を内部に収納するモータケース（１２）と、前記モータケース（１２）の前端部に接続するとともに、前記モータ（３１）からの回転駆動力を減速する複数の歯車からなる駆動力伝達手段を収納するギアケース（１３）と、前記駆動力伝達手段を介して伝達される前記モータ（３１）からの回転駆動力を受けて回転駆動する回転工具（２１）と、を備え、前記モータケース（１２）における前記モータ（３１）の収納部分の外周箇所が、操作者から把持を受ける把持部として構成される手持ち式電動工具（１０，１００）であって、前記モータケース（１２）と前記ギアケース（１３）との接続箇所の近傍内部には、前記モータ（３１）が有するモータ軸（３２）に固定された遠心ファン（１９）が配置され、前記遠心ファン（１９）の後面側には、当該遠心ファン（１９）の後面に沿った対向面（３５ａ，１３５ａ）を備えるとともに前記モータケース（１２）の前端部近傍に対して固定設置されるファンケーシング（３５，１３５）が配置され、前記遠心ファン（１９）の回転によって半径方向外方に向かう気流を前方に向かうように偏向させる気流案内面を、前記ファンケーシング（３５，１３５）の前記対向面（３５ａ，１３５ａ）と、前記モータケース（１２）の前端面（１２ａ）と、前記ギアケース（１３）の内周面（１３ａ）とで構成することを特徴とするものである。
【０００９】
また、本発明に係る手持ち式電動工具（１０，１００）において、前記モータケース（１２）の前端面（１２ａ）は、前記ファンケーシング（３５，１３５）の前記対向面（３５ａ，１３５ａ）の外周側の延長面上に配置されていることとすることができる。
【００１０】
さらに、本発明に係る手持ち式電動工具（１０，１００）において、前記ギアケース（１３）の内周面（１３ａ）が、前記遠心ファン（１９）の外周を囲むように配置されていることとすることができる。
【００１１】
またさらに、本発明に係る手持ち式電動工具（１０，１００）では、前記ファンケーシング（３５，１３５）が有する前記対向面（３５ａ，１３５ａ）の外周縁が、前記モータケース（１２）の前端部の内周面に嵌合して配置されていることとすることができる。
【発明の効果】
【００１２】
本発明によれば、手持ち式電動工具の冷却性能を高めるために遠心ファンの大型化（大径化）を行う際に、装置の大型化を行う必要がなく、手持ち式電動工具の操作性を損なうことのない新たな構成を有する手持ち式電動工具を提供することができる。
【図面の簡単な説明】
【００１３】
【図１】本実施形態に係る手持ち式電動工具の外観構成を説明するための図であり、図中の分図（ａ）が右側面視を、分図（ｂ）が上面視を、分図（ｃ）が正面視を示している。
【図２】図１中の分図（ａ）においてＡ−Ａで示す位置の一部分を断面にした図である。
【図３】図１中の分図（ｂ）においてＢ−Ｂで示す位置の一部分を断面にした図である。
【図４】図３中のＥ−Ｅ断面を表した縦断面正面図である。
【図５】図３中のＦ−Ｆ断面を表した縦断面正面図である。
【図６】図１中の分図（ｂ）で示すＣ−Ｃ断面の要部を表した縦断面右側面図である。
【図７】図１中の分図（ｂ）で示すＤ−Ｄ断面の要部を表した縦断面右側面図である。
【図８】本実施形態に係る手持ち式電動工具が有するモータケースの外観形状を示した斜視図であり、図中の分図（ａ）が前方上側から見た場合の外観斜視図であり、分図（ｂ）が前方下側から見た場合の概観斜視図である。
【図９】本実施形態に係る手持ち式電動工具が有するファンケーシングの形状を説明するための図であり、図中の分図（ａ）が正面視を示し、分図（ｂ）が左側面視を示し、分図（ｃ）が分図（ａ）中のＧ−Ｇ断面を示している。
【図１０】本実施形態に係るファンケーシングの外観構成を示した斜視図であり、図中の分図（ａ）が背面側から見た斜視図であり、分図（ｂ）が正面側から見た場合の斜視図である。
【図１１】本発明に適用可能なファンケーシングの多様な変形形態例のうちの一例を示す図であり、特に、本実施形態の図３に対応した図の要部拡大図である。
【図１２】本発明に適用可能なファンケーシングの多様な変形形態例のうちの一例を示す図であり、特に、本実施形態の図６に対応した図である。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
まず、図１を用いて、本実施形態に係る手持ち式電動工具１０の外観構成についての説明を行う。ここで、図１は、本実施形態に係る手持ち式電動工具の外観構成を説明するための図であり、図中の分図（ａ）が右側面視を、分図（ｂ）が上面視を、分図（ｃ）が正面視を示している。なお、以下の説明では、説明の便宜のために手持ち式電動工具１０の使用状態に応じた方向を定義することとする。すなわち、図１にて図示するように、回転工具である砥石２１が設置される側を「前」、電力コード４１が設置される側を「後」、図１中の分図（ｂ）における紙面上側を「左」、図１中の分図（ｂ）における紙面下側を「右」、図１中の分図（ａ）における紙面上側を「上」、図１中の分図（ａ）における紙面下側を「下」と呼ぶこととする。なお、本明細書で定義した方向が本実施形態に係る手持ち式電動工具１０の使用方向を限定するものではなく、本実施形態に係る手持ち式電動工具１０は、あらゆる姿勢方向で用いることが可能である。
【００１６】
図１にて示すように、本実施形態に係る手持ち式電動工具１０は、手持ち式の携帯用グラインダとして構成されるものであり、長手方向に延びて形成されるハウジング１１と、研削作業を行うための回転工具である円盤状の砥石２１とを有して構成されている。
【００１７】
ハウジング１１は、駆動源となるモータ３１（詳細は後述する）を内部に収納するケーシングとしてのモータケース１２と、モータ３１からの回転駆動力を受けてこの回転駆動力を砥石２１に伝達するための複数の歯車群等からなる駆動力伝達手段を収納するギアケース１３と、モータ３１に対して電力を供給するための電力コード４１やスイッチボックス等の給電機器、モータ３１を動作制御するための制御基板等が収納されたケーシングとしてのテールケース１４とによって構成されている。
【００１８】
モータケース１２は、樹脂又はアルミニウム合金などの金属製の部材によって構成されており、このモータケース１２におけるモータ収納部分の外周箇所が、操作者から把持を受ける把持部として構成されている。また、モータケース１２の外郭形状は、操作者が把持し易いように略円筒状に形成されている。
【００１９】
モータケース１２の前方側に連結されるギアケース１３は、例えばアルミニウム合金などの金属製の部材により構成されている。そして、このギアケース１３の下部には、研削作業を行うこととなる回転工具としての砥石２１が配置されており、砥石２１の背面側には、操作者に対して切粉などが飛散しないようにするために、安全カバー２２が設置されている。
【００２０】
モータケース１２の後方側に連結されるテールケース１４は、樹脂によって構成されている。このテールケース１４は、左右位置に多数の開口孔１５を有しており、この開口孔１５から外部の空気を取り込んで、テールケース１４内部の部材の空冷が行えるように構成されている。また、テールケース１４の後方には、不図示の外部電源からの電力をモータ３１に対して供給するための電力コード４１が設置可能となっている。
【００２１】
以上、図１を用いることで、本実施形態に係る手持ち式電動工具１０の外観構成を説明した。次に、図２〜図７を参照図面に加えることで、本実施形態に係る手持ち式電動工具１０の内部構成についての説明を行う。ここで、図２は、図１中の分図（ａ）においてＡ−Ａで示す位置の一部分を断面にした図である。また、図３は、図１中の分図（ｂ）においてＢ−Ｂで示す位置の一部分を断面にした図である。さらに、図４は、図３中のＥ−Ｅ断面を表した縦断面正面図であり、図５は、図３中のＦ−Ｆ断面を表した縦断面正面図である。またさらに、図６は、図１中の分図（ｂ）で示すＣ−Ｃ断面の要部を表した縦断面右側面図であり、図７は、図１中の分図（ｂ）で示すＤ−Ｄ断面の要部を表した縦断面右側面図である。
【００２２】
本実施形態に係る手持ち式電動工具１０の内部構造を描いた図のうち、特に図２および図３にて示されるように、モータケース１２の内部には砥石２１を駆動するための駆動源となるモータ３１が収納されており、このモータ３１は、モータ軸３２の軸心が略円筒状のモータケース１２の軸心と略重畳するように配置されている。また、モータ軸３２の前端部３２ａはモータケース１２内からギアケース１３内へと突出し、ギアケース１３に設置された前部ベアリング１７に支持されている。一方、モータ軸３２の後端部３２ｂは、モータケース１２の後部において後部ベアリング１８に支持されている。したがって、モータ軸３２は、前後部のベアリング１７，１８により両端部３２ａ，３２ｂを支持されることで、高速回転できるように構成されている。
【００２３】
モータ軸３２の前端部３２ａの近傍の前部ベアリング１７の後方側であって、モータケース１２とギアケース１３とが接続する箇所の近傍内部の位置には、遠心ファン１９がモータ軸３２に固定されて設置されている。遠心ファン１９は、モータケース１２とギアケース１３とが接続する箇所の近傍内部の位置に配置されることで、モータケース１２の内部に冷却風を通す役割を果たしている。したがって、モータ軸３２と共に遠心ファン１９が回転すると、外気がモータケース１２内に取り込まれることで冷却風が発生し、この冷却風はモータケース１２内の隙間を通ってモータ３１等を冷却した後、ギアケース１３内を通過して、手持ち式電動工具１０の前方から機外に排出されるように構成されている。
【００２４】
なお、本実施形態に係る手持ち式電動工具１０のモータ３１は、ブラシレスモータとして構成されている。したがって、モータケース１２の後方に接続されるテールケース１４の内部には、モータ３１を動作制御するための制御基板等が配置されている。そして、テールケース１４の内部についても、上述した遠心ファン１９の作用によって取り入れられた冷却風により、冷却が実施される。
【００２５】
また、ギアケース１３内には、モータ軸３２の前端部３２ａに固定される小傘歯車２３と、この小傘歯車２３に噛み合う大傘歯車２４が収納されている。大傘歯車２４は、ギアケース１３内にベアリング２５，２６を介して垂直に支持された駆動軸２７に固定されており、この駆動軸２７がギアケース１３の下方に突出し、この突出箇所に砥石２１が着脱自在に固定されている。これら小傘歯車２３、大傘歯車２４、駆動軸２７等の部材が駆動力伝達手段として機能することにより、モータ３１が回転すると、この回転駆動力がモータ軸３２から小傘歯車２３、大傘歯車２４へと伝達され、最終的に駆動軸２７を介して砥石２１が回転することになるので、被加工対象物に対する研削加工が実行可能となる。
【００２６】
さらに、テールケース１４には、オン・オフスイッチ（不図示）やその他の給電機器が収納されており、操作者がオン・オフスイッチを切り替え操作することによって、モータ３１が回転又は停止し、手持ち式電動工具１０の操作を行うことが可能となっている。また、本実施形態に係る手持ち式電動工具１０では、操作者がオン・オフスイッチをＯＮにした後、不図示のモータ回転数制御ダイヤルを操作することでモータ３１の回転数を調節することが可能となっている。したがって、操作者がモータケース１２を片手で把持し、他方の手の指でオン・オフスイッチをＯＮにすると、モータ３１が回転し、モータ軸３２から小傘歯車２３、大傘歯車２４へと動力が伝達され、砥石２１が回転する。また、操作者が不図示のモータ回転数制御ダイヤルを操作することでモータ３１の回転数が変更され、被加工対象物に応じた砥石２１の回転条件が調節される。これにより、被加工対象物に対して好適な研削加工を行うことができる。なお、このとき、モータ軸３２の回転と同時に遠心ファン１９が回転するので、外気がハウジング１１内、すなわち、テールケース１４とモータケース１２とギアケース１３の内部に取り込まれる。この外気は、テールケース１４内の制御基板等やモータケース１２内のモータ３１などの発熱源を冷却した後、モータケース１２内を通り抜けてギアケース１３の前方側から機外に排出されるので、安全・安定した手持ち式電動工具１０の動作が実現されている。研削作業が終了し、操作者がオン・オフスイッチをＯＦＦにすると、モータ３１が停止し、砥石２１が回転を停止する。
【００２７】
以上、本実施形態に係る手持ち式電動工具１０の基本構成について説明したが、本実施形態に係る手持ち式電動工具１０は、さらなる有意な特徴を有している。そこで、図８〜図１０を参照図面に加えて、本実施形態に係る手持ち式電動工具１０の特徴的な構成をさらに説明する。ここで、図８は、本実施形態に係る手持ち式電動工具が有するモータケースの外観形状を示した斜視図であり、図中の分図（ａ）が前方上側から見た場合の外観斜視図であり、分図（ｂ）が前方下側から見た場合の概観斜視図である。また、図９は、本実施形態に係る手持ち式電動工具が有するファンケーシングの形状を説明するための図であり、図中の分図（ａ）が正面視を示し、分図（ｂ）が左側面視を示し、分図（ｃ）が分図（ａ）中のＧ−Ｇ断面を示している。さらに、図１０は、本実施形態に係るファンケーシングの外観構成を示した斜視図であり、図中の分図（ａ）が背面側から見た斜視図であり、分図（ｂ）が正面側から見た場合の斜視図である。
【００２８】
図６および図７において詳細に示されるように、本実施形態に係る手持ち式電動工具１０における遠心ファン１９の後面側には、当該遠心ファン１９の後面に沿った対向面３５ａを備えることで遠心ファン１９によって発生される気流を案内するファンケーシング３５が配置されている。本実施形態に係るファンケーシング３５は、モータケース１２の前端部に対して取り付けられる部材であり、両部材の取り付けのための構成が、図８〜図１０において詳細に示されている。
【００２９】
まず、モータケース１２は、図８に示すように、略円筒形をした部材であり、当該モータケース１２の前端面１２ａの近傍には被係止部としての４つの係止孔１２ｂが形成されている。一方、ファンケーシング３５には、図９および図１０に示すように、係止部としての４つの係止爪３５ｂが形成されており、これら４つの係止爪３５ｂはモータケース１２に形成された４つの係止孔１２ｂと対応した位置に配置されている。したがって、モータケース１２の前端部開口からファンケーシング３５を挿入して、４つの係止爪３５ｂを対応する４つの係止孔１２ｂにそれぞれ係合させることで、モータケース１２の前端部に対してファンケーシング３５を簡単かつ確実に固定設置することが可能となっている。
【００３０】
さらに、モータケース１２の前端部の内周面には、２つの凸形状をしたキー部材１２ｃが形成されており、一方のファンケーシング３５には、２つのキー部材１２ｃに対応した２つのキー溝３５ｃが形成されている。したがって、４つの係止爪３５ｂを対応する４つの係止孔１２ｂにそれぞれ係合させる際に、２つのキー部材１２ｃと２つのキー溝３５ｃが嵌合することで、モータケース１２の前端部に対するファンケーシング３５の位置決めが実行されることになり、モータケース１２の前端部に対してファンケーシング３５を簡単かつ正確に取り付けることが可能となっている。
【００３１】
さらに、図６および図７に示されるように、本実施形態では、ファンケーシング３５が有する対向面３５ａの外周縁が、モータケース１２の前端部の内周面に嵌合して配置されて構成されている。したがって、後方側における４つの係止孔１２ｂに対する４つの係止爪３５ｂの係合と、前方側におけるモータケース１２の前端部の内周面に対する対向面３５ａの外周縁の嵌合とによって、ファンケーシング３５の安定した取り付け状態を維持することが可能となっている。
【００３２】
また、本実施形態に係るファンケーシング３５は、モータケース１２のみに対して取り付けられており、また、モータケース１２の前端部の内周面に対して収納されて収まるように構成されている。さらに、モータケース１２とギアケース１３の取り付けは、モータケース１２の前端部とギアケース１３の後端部を当接させた状態で外周面に位置するナット３４を締め付けることで実現されており、モータケース１２とギアケース１３の取り付けに際してファンケーシング３５は関与しない構成となっている。したがって、本実施形態の構成によれば、上述した従来技術のように構成部材の累積誤差を考慮する必要がないので、手持ち式電動工具１０に対してファンケーシング３５を設置する際に、製造コストの増大を招くことがなく、しかも電動工具としての性能を維持しながらも簡易に製造可能な手持ち式電動工具１０を提供することが可能となっている。
【００３３】
さらに、本実施形態に係るファンケーシング３５については、図６および図７に示されるように、ファンケーシング３５の前面である対向面３５ａは、縦断面視において外周縁側から中心方向に向かって上流側（後方側）に傾斜する傾斜面を有して構成されるとともに、ファンケーシング３５の後面３５ｄは、縦断面視において外周縁側から中心方向に向かって下流側（前方側）に傾斜する傾斜面を有して構成されている。つまり、本実施形態に係るファンケーシング３５は、図９中の分図（ｃ）においてより詳細に示されるように、縦断面視において楔形状をした構成となっている。したがって、モータケース１２内から導通してくる気流をギアケース１３の前方に向けて案内する際に、当該楔形状が気流を澱みなく案内するので、遠心ファン１９の作用によって発生する気流を効率良く流すことで、より効果的な冷却効果を得ることが可能となっている。
【００３４】
なお、本実施形態に係るファンケーシング３５では、図９および図１０に示すように、４つの係止爪３５ｂが後面３５ｄの外周部から上流側（後方側）に向かって一体的に突出して形成されている。したがって、廉価に製造できる構造となっている。また、４つの係止爪３５ｂに並ぶ位置に２つの脚部３５ｅが同様に形成されている。この脚部３５ｅは、その端面がモータケース１２内に固定設置されているモータ３１の固定子に対して僅かな隙間を有して対向している。これにより、モータケース１２に対するモータ３１の固定子の固定位置がギアケース１３側に大きくずれてしまうことを防止することが可能となっている。
【００３５】
またさらに、図６および図７に示されるように、本実施形態では、上述したように、遠心ファン１９の後面側には、当該遠心ファン１９の後面に沿った対向面３５ａを備えるとともにモータケース１２の前端部近傍に対して固定設置されるファンケーシング３５が配置されている。そして、ファンケーシング３５の対向面３５ａと、モータケース１２の前端面１２ａと、ギアケース１３の内周面１３ａという３つの面によって、遠心ファンの回転により半径方向外方に向かう気流を前方に向かうように偏向させる気流案内面（３５ａ，１２ａ，１３ａ）が構成されている。また、モータケース１２の前端面１２ａは、ファンケーシング３５の対向面３５ａの外周側の延長面上に配置されている。つまり、気流案内面（３５ａ，１２ａ，１３ａ）を構成するファンケーシング３５の対向面３５ａと、モータケース１２の前端面１２ａと、ギアケース１３の内周面１３ａという３つの面は、ほぼ連続した面として段差なく構成されているので、遠心ファン１９の回転によって生じる気流は気流案内面（３５ａ，１２ａ，１３ａ）に沿って流動する際に乱れることがなく、気流案内面（３５ａ，１２ａ，１３ａ）によってスムーズに流動するように構成されている。
【００３６】
また、本実施形態では、ギアケース１３の内周面１３ａが、遠心ファン１９の外周を囲むように配置されている。つまり、遠心ファン１９の外周側は、ギアケース１３の内周面によって外方側の周囲を囲まれているので、従来技術のようなファンケーシングやハウジング（モータケース）が存在しない構成となっている。つまり、遠心ファン１９の外周側には遠心ファン１９の大型化（大径化）を阻害する部材が少ないので、遠心ファン１９の大型化（大径化）が容易に実行可能な構成となっている。
【００３７】
以上説明した構成を有することから、本実施形態に係る手持ち式電動工具１０は、気流案内面（３５ａ，１２ａ，１３ａ）という構成を備えることで、手持ち式電動工具１０の冷却性能を高めるために遠心ファン１９の大型化（大径化）を行う際に、装置の大型化を行う必要がなく、装置の操作性を損なうことがない。
【００３８】
また、本実施形態では、ファンケーシング３５が、従来技術のファンケーシングのように遠心ファン１９の外周側まで延びて形成されていないので、ファンケーシング３５を径方向と軸線方向とにおいて小型化することができる。したがって、ファンケーシング３５の軽量化が容易となる。
【００３９】
以上、本発明の好適な実施形態について説明したが、本発明の技術的範囲は上記実施形態に記載の範囲には限定されない。上記実施形態には、多様な変更又は改良を加えることが可能である。
【００４０】
例えば、上述した実施形態に係るファンケーシング３５については、図６および図７に示されるように、ファンケーシング３５の前面である対向面３５ａは、縦断面視において外周縁側から中心方向に向かって上流側（後方側）に傾斜する傾斜面を有して構成されるとともに、ファンケーシング３５の後面３５ｄは、縦断面視において外周縁側から中心方向に向かって下流側（前方側）に傾斜する傾斜面を有して構成されていた。しかし、本発明に係るファンケーシングが取り得る形態については、上述した実施形態に限られるものではない。本発明に係るファンケーシングは、上述した作用効果を発揮できる範囲内において多様な変形形態を取ることができる。例えば、図１１および図１２は、本発明に適用可能なファンケーシングの多様な変形形態例のうちの一例を示す図であり、特に、図１１が本実施形態の図３に対応した図の要部拡大図であり、図１２が本実施形態の図６に対応した図であるが、図１１および図１２で例示するように、変形形態例に係るファンケーシング１３５の後面１３５ｄについては、縦断面視において外周縁側から中心方向に向かって上流側（後方側）に傾斜する傾斜面を有するように構成することが可能である。このような形状のファンケーシング１３５を採用した場合であっても、製造コストの増大を招くことがなく、しかも電動工具としての性能を維持しながらも簡易に製造可能な手持ち式電動工具１００を提供することが可能である。なお、変形形態例に係る手持ち式電動工具１００についても、気流案内面（対向面１３５ａ，前端面１２ａ，内周面１３ａ）という構成を備えているので、手持ち式電動工具１００の冷却性能を高めるために遠心ファン１９の大型化（大径化）を行う際に、装置の大型化を行う必要がなく、装置の操作性を損なうことがない、といった効果を得ることができる。
【００４１】
その様な変更又は改良を加えた形態も本発明の技術的範囲に含まれ得ることが、特許請求の範囲の記載から明らかである。
【符号の説明】
【００４２】
１０，１００  手持ち式電動工具、１１  ハウジング、１２  モータケース、１２ａ  前端面、１２ｂ  係止孔、１２ｃ  キー部材、１３  ギアケース、１３ａ  内周面、１４  テールケース、１５  開口孔、１７  前部ベアリング、１８  後部ベアリング、１９  遠心ファン、２１  砥石、２２  安全カバー、２３  小傘歯車、２４  大傘歯車、２５，２６  ベアリング、２７  駆動軸、３１  モータ、３２  モータ軸、３２ａ  前端部、３２ｂ  後端部、３４  ナット、３５，１３５  ファンケーシング、３５ａ，１３５ａ  対向面、３５ｂ  係止爪、３５ｃ  キー溝、３５ｄ，１３５ｄ  後面、３５ｅ  脚部、４１  電力コード。
【図１】
2018122420.tif 000003
【図２】
2018122420.tif 000004
【図３】
2018122420.tif 000005
【図４】
2018122420.tif 000006
【図５】
2018122420.tif 000007
【図６】
2018122420.tif 000008
【図７】
2018122420.tif 000009
【図８】
2018122420.tif 000010
【図９】
2018122420.tif 000011
【図１０】
2018122420.tif 000012
【図１１】
2018122420.tif 000013
【図１２】
2018122420.tif 000014